(57)【特許請求の範囲】
【請求項１】
ハウジング内に蓄電池が内蔵され、蓄電池を誘導充電方式の非接触にて充電状態とする電動歯ブラシにおいて、ハウジングを密閉防水機構とし、ハウジングの側面部にガスの通過を許すが水を通さない膜を配置して成ることを特徴とする電動歯ブラシ。
【請求項２】
ハウジングとは別体となった別部材に膜を設置し、この別部材をハウジングに取着して成ることを特徴とする請求項１記載の電動歯ブラシ。
【請求項３】
Ｏリングを介して膜をハウジングの側面部に設置して成ることを特徴とする請求項１記載の電動歯ブラシ。
【発明の詳細な説明】
【０００１】
【産業上の利用分野】
本発明は、蓄電池を内蔵した電動歯ブラシに関するものである。
【０００２】
【従来の技術】
従来、図５、図６に示されるように蓄電池１５を内蔵した電動歯ブラシにおいては蓄電池１５の特性上、水素ガスを発生させる恐れがあり、安全対策上水素ガスが発生した場合のガス抜き構造が必要となっている。図中１はハウジング、１５は蓄電池、３は電池カバー、１６はモータ、１７は先部に歯ブラシ体が着脱自在に取り付けられる駆動軸、１８は駆動軸１７の動作状態を操作するための操作片である。
【０００３】
そして、従来の電動歯ブラシにおいてはガスを排出するためのガス膜２をハウジング１の底部を構成する電池カバー３の底部に配置しており、図７、図８に示されるようにガス膜２はハウジング１の底面部に設置された状態となっている。
【０００４】
【発明が解決しようとする課題】
しかし、ガス膜２の特性として完全に水分の通過を抑えることができず、ハウジング１の使用時に充電時の温度差によってハウジング１内で空気の膨張収縮が生じてハウジング１内が負圧になるとガス膜２から充電器４上面に付着した水分を吸い上げる状態が発生し、ガス膜２を介してハウジング１内に水分が浸入するという問題が生じる。
【０００５】
充電方式として電動歯ブラシのように水分の付着が常に伴うものでは無接点での誘導充電方式があるが、水分の吸い上げ防止の為、ハウジング１下部を充電器４上面より距離を設けるようにする方法が考えられる。しかしながら誘導充電として充電器４とハウジング１との間に大きい距離を設ければ充電効率が大きくダウンすることとなり、実用的ではない。
【０００６】
本発明は上記問題点の解決を目的とするものであり、ハウジング下部を充電器上面より距離を設けて配置しなくとも膜を介してハウジング内に水分が浸入するようなことのない電動歯ブラシを提供しようとするものである。
【０００７】
【課題を解決するための手段】
上記目的を達成するために、本発明では、ハウジング内に蓄電池が内蔵され、蓄電池を誘導充電方式の非接触にて充電状態とする電動歯ブラシにおいて、ハウジングを密閉防水機構とし、ハウジングの側面部にガスの通過を許すが水を通さない膜を配置したことを特徴とするものである。
【０００８】
また、ハウジングとは別体となった別部材に膜を設置し、この別部材をハウジングに取着するようにしてもよい。
また、Ｏリングを介して膜をハウジングの側面部に設置するようにしてもよい。
【０００９】
【作用】
しかして、ハウジングの側面部に膜を配置することで充電状態時に膜の近傍に水分が存在しないようにすることができ、膜を介してハウジング内に水分が浸入するのを防止できる。
また、ハウジングとは別体となった別部材に膜を設置し、この別部材をハウジングに取着するようにしてあると、別部材をハウジングに取着することでハウジングの側面部に膜を設置することができ、また、別部材によって膜が外部から接触しにくい構造としてハウジングに設置することができる。
【００１０】
また、Ｏリングを介して膜をハウジングの側面部に設置するようにしてあると、膜をハウジングに設置するにあたってヒートシール等による膜の固定が不要であり、組み立てを簡単にすることができる。
【００１１】
【実施例】
以下、本発明を図示された実施例に基づいて詳述する。
ハウジング１内に収納配置される蓄電池、モータ、駆動軸等の配置状態は図６に示される従来例と基本的に同じであるので、膜２の設置部位並びに電池カバー３について詳述する。
【００１２】
本発明における電動歯ブラシはハウジング１内に蓄電池が内蔵されており、充電器４に立てた状態で配置して蓄電池を誘導充電方式にて充電することができるようになっている。
ハウジング１の底部には電池カバー３が取り付けられるようになっており、このハウジング１の底部を構成する電池カバー３の側面部にガスの通過を許すが水を通さない膜２が配置されている。
【００１３】
ハウジング１の底部に取着される電池カバー３は上面が開口する受け箱状に形成されており、側壁には内外に連通する開口部５が設けられている。図１に示されるものにあっては、内側に細径の内側通気孔５ａを設け、外側に上記内側通気孔５ａよりも大径の外側通気孔５ｂを設けて開口部５が形成されている。
内側通気孔５ａの開口縁からは外側に向けて支持突起６が突設されており、この支持突起６に当接するようにして膜２が外側通気孔５ｂ内に配置されている。外側通気孔５ｂ内には膜カバー７が設置されており、この膜カバー７によって膜２に使用者の指等が接触しないようになっている。
【００１４】
図２は他の実施例を示すものであり、このものにあっては、ハウジング１の底部を構成する電池カバー３とは別体となった別部材としての膜カバー７に膜２を設置し、この別部材としての膜カバー７を電池カバー３の開口部５に対して取り付けるようにしたものが示されている。
上記別部材としての膜カバー７は外周面に電池カバー３の開口部５内に設けられた段部８に係合される係合段部９が形成されており、電池カバー３の開口部５の段部８に対して係合段部９を圧入することによって電池カバー３に取り付けられるようになっている。膜カバー７には厚み方向にわたって通気孔１０が凹設されており、この通気孔１０は膜カバー７の外面に設けられた小径のガス抜き孔１１を介して外部に連通するようになっている。膜２は上記通気口１０を閉じるようにして膜カバー７の内側に取り付けられている。
【００１５】
そして、このものにあっては膜２が取り付けられた別部材としての膜カバー７を電池カバー３の開口部５に圧入することによって膜２の設置を手間取ることなく簡単に行うことができるようになっている。また、電池カバー７の内側に膜２が設置されていることによって外部から膜２に対して使用者の指等が接触しにくい構造とすることができるようになっている。
【００１６】
図３はさらに他の実施例を示すものであり、このものにあっては、電池カバー３の開口部５に設けられた段部８にＯリング１２を設置するようにし、別部材としての膜カバー７と電池カバー３とのシール性をさらに向上させることができるようになっている。
図４はさらに他の実施例を示すものであり、このものにあっては、電池カバー３に設けられる開口部５としての外側通気孔５ｂの内面に凹所１３を凹設し、この凹所１３内にＯリング１２を設置し、Ｏリング１２に膜２の内側が接するようにして外側通気孔５ｂ内に膜カバー７を圧入固定するようにしている。このように外側を膜カバー７に圧接させると共に内側をＯリング１２に圧接させて膜２を設置するようにすると膜２を設置するにあたってヒートシール等による膜２の固定が不要であり、組み立てを簡単にすることができるものである。
【００１７】
【発明の効果】
本発明は、ハウジング内に蓄電池が内蔵され、蓄電池を誘導充電方式の非接触にて充電状態とする電動歯ブラシにおいて、ハウジングを密閉防水機構とし、ハウジングの側面部にガスの通過を許すが水を通さない膜を配置してあるので、ハウジングの側面部に膜を配置することで充電状態時に膜の近傍に水分が存在しないようにすることができるものであり、膜を介してハウジング内に水分が浸入するのを防止できるものである。
【００１８】
また、ハウジングとは別体となった別部材に膜を設置し、この別部材をハウジングに取着するようにしてあると、別部材をハウジングに取着することでハウジングの側面部に膜を設置することができるものであり、また、別部材によって膜が外部から接触しにくい構造としてハウジングに設置することができるものである。
【００１９】
また、Ｏリングを介して膜をハウジングの側面部に設置するようにしてあると、膜をハウジングに設置するにあたってヒートシール等による膜の固定が不要であり、組み立てを簡単にすることができるものである。
【図面の簡単な説明】
【図１】本発明の一実施例を示すものであり、（ａ）は充電時におけるハウジングの配置状態を示す一部省略した側面図、（ｂ）は（ａ）におけるイ部の拡大断面図である。
【図２】他の実施例における膜の設置状態を示す拡大断面図である。
【図３】さらに他の実施例を示すものであり、（ａ）は平断面図、（ｂ）は正面図、（ｃ）は側断面図である。
【図４】さらに他の実施例における膜の設置状態を示す拡大断面図である。
【図５】従来例における充電器へのハウジングの設置状態を示すものであり、（ａ）は正面図、（ｂ）は側面図である。
【図６】従来例における電動歯ブラシを示すものであり、（ａ）は一部破断した正面図、（ｂ）は側断面図である。
【図７】同上のガス膜の配置状態を示すものであり、（ａ）は電池カバーの平面図、（ｂ）は（ａ）におけるロ−ロ線断面図である。
【図８】従来例を示すものであり、（ａ）は充電時におけるハウジングの配置状態を示す一部省略した側面図、（ｂ）はガス膜の配置状態を示すハウジングの下面図である。
【符号の説明】
１  ハウジング
２  膜
【図１】
0003674980.tif 000002
【図２】
0003674980.tif 000003
【図３】
0003674980.tif 000004
【図４】
0003674980.tif 000005
【図５】
0003674980.tif 000006
【図６】
0003674980.tif 000007
【図７】
0003674980.tif 000008
【図８】
0003674980.tif 000009